(57)【特許請求の範囲】
【請求項１】
銃本体の上部に設けられたスライドが後方へ移動するブローバックを可能としたガスガンにおいて、
銃本体に設けられたマガジン装填室に装填するブローバック用マガジンとスライド固定用マガジンとが別体の構造を有し、
ブローバック用マガジンは、ガス充填室内のガスを開閉するためのガス放出バルブを作動するようにしたガスカットレギュレータの動作を規制する手段と、前記スライドを後方へ移動するためのガス噴出口と、マガジン内のガスをガス噴出口側へ送るか又は弾丸を発射させる側へ送るかを切換えるエアスイッチとを有し、
スライド固定用マガジンは、前記ガスカットレギュレータの動作を規制する手段と前記ガス噴出口と前記エアスイッチとを有しない構造とされ、
ブローバック用マガジンとスライド固定用マガジンとを１丁のガスガンのマガジン装填室へ差し替えて装填することにより、ブローバックを行なうか否かの切替動作を行うことによって、１丁の銃本体をブローバック式ガンとスライド固定式ガンとに両用できるようにしたことを特徴とするガスガン。
【請求項２】
前記ブローバック用マガジンと前記スライド固定用マガジンのいずれにおいても、夫々のマガジンの上部には銃本体に設けられたチャンバに連結されるガス通路を有し、
マガジン内の弾倉の上部に充填された最上部の弾丸をガス通路の前方に着座させる構造を有すると共に、
前記銃本体のチャンバはトリガを引く動作に連動して後退することにより、前記マガジン側に着座された弾丸をチャンバ内に装填するようにしたことを特徴とする請求項１記載のガスガン。
【請求項３】
前記ブローバック用マガジンと前記スライド固定用マガジンとの後面にはガスカットレギュレータの作用部を収容し得る規制溝を有し、
ブローバック用マガジンの規制溝は、該マガジンをマガジン装填室に差し込んだ際、ガスカットレギュレータの作用部を押圧して後退させる傾斜面を備え、スライド固定用マガジンの規制溝は、該マガジンをマガジン装填室に差し込んだ際、ガスカットレギュレータの作用部に接触しない長尺形状としたことを特徴とする請求項１又は２記載のガスガン。
【発明の詳細な説明】
【技術分野】
【０００１】  本発明は、１丁のガスガンのガス装填室に装填されるマガジンを差し替えることによってブローバック式ガスガンとスライド固定式ガスガンとに両用することができるガスガンに関する。
【背景技術】
【０００２】  従来から、プラスチック製弾丸（いわゆる「ＢＢ弾」）をガス圧によって発射するようにした遊戯用ガスガン（以下、単に「ガスガン」という）が周知である。また、ガスガンのなかでも、実銃に近い使用感を得られるものとして、弾丸を発射するたびに、ガス圧によってスライドを後方へ移動するブローバック式ガスガンが知られている。【０００３】  このようなブローバック式ガスガンの従来例として、特許文献１には、弾倉部とガス蓄圧室とを有するマガジンを着脱自在に設けたブローバック式の玩具空気銃が記載されている。この文献の空気銃は、従来のブローバック式空気銃をより実銃に近い構成としたものであるが、その構造を実現するために、玩具銃としては過度に複雑な構造を有するものとなっている。【０００４】  また、上記のように、ブローバック式ガスガンは、より実銃に近い構造とすることができ、またトリガが軽いという利点を有するが、スライド固定式ガスガンに比べて、エネルギー効率が悪く、弾速が劣るという欠点があった。これに対して、スライド固定式ガスガンは、エネルギー効率が良いため、弾速が速く、弾数も多く打てるという利点を有するが、トリガが重く、実銃に近い構造を得ることができないという欠点があった。
【特許文献１】特開平８−１３６１８８号公報
【発明の開示】
【発明が解決しようとする課題】
【０００５】  上記のように、ブローバック式ガスガンとスライド固定式ガスガンとは、それぞれ特有の利点と欠点とを有するが、いずれにしても１丁のガスガンでスライド固定式ガスガンとブローバック式ガスガンとを両用し、使用者が両方のガスガンの利点を使い分けるようにしたガスガンは未開発であった。【０００６】  本発明は、上記の事情に鑑みてなされたもので、１丁の銃本体のマガジン装填室にブローバック用マガジンとスライド固定用マガジンとを差し替えて装填することにより、１丁の銃本体でスライド固定式ガスガンとブローバック式ガスガンとに両用することができるガスガンを提供することを目的とする。
【課題を解決するための手段】
【０００７】  上記の問題を解決するために、本発明の請求項１のガスガンは、銃本体の上部に設けられたスライドが後方へ移動するブローバックを可能としたガスガンにおいて、銃本体に設けられたマガジン装填室に装填するブローバック用マガジンとスライド固定用マガジンとが別体の構造を有し、ブローバック用マガジンは、ガス充填室内のガスを開閉するためのガス放出バルブを作動するようにしたガスカットレギュレータの動作を規制する手段と、前記スライドを後方へ移動するためのガス噴出口と、マガジン内のガスをガス噴出口側へ送るか又は弾丸を発射させる側へ送るかを切換えるエアスイッチとを有し、スライド固定用マガジンは、前記ガスカットレギュレータの動作を規制する手段と前記ガス噴出口と前記エアスイッチとを有しない構造とされ、ブローバック用マガジンとスライド固定用マガジンとを１丁のガスガンのマガジン装填室へ差し替えて装填することにより、ブローバックを行なうか否かの切替動作を行うことによって、１丁の銃本体をブローバック式ガンとスライド固定式ガンとに両用できるようにしたことを特徴とする。【０００８】  また、本発明の請求項２のガスガンは、請求項１において、前記ブローバック用マガジンと前記スライド固定用マガジンのいずれにおいても、夫々のマガジンの上部には銃本体に設けられたチャンバに連結されるガス通路を有し、
マガジン内の弾倉の上部に充填された最上部の弾丸をガス通路の前方に着座させる構造を有すると共に、
前記銃本体のチャンバはトリガを引く動作に連動して後退することにより、前記マガジン側に着座された弾丸をチャンバ内に装填するようにしたことを特徴とする。【０００９】  さらに、本発明の請求項３のガスガンは、請求項１又は２において、前記ブローバック用マガジンと前記スライド固定用マガジンとの後面にはガスカットレギュレータの作用部を収容し得る規制溝を有し、ブローバック用マガジンの規制溝は、該マガジンをマガジン装填室に差し込んだ際、ガスカットレギュレータの作用部を押圧して後退させる傾斜面を備え、スライド固定用マガジンの規制溝は、該マガジンをマガジン装填室に差し込んだ際、ガスカットレギュレータの作用部に接触しない長尺形状としたことを特徴とする。
【発明の効果】
【００１０】  本発明のガスガンによれば、銃本体のマガジン装填室にスライド固定用マガジンとブローバック用マガジンとを差し替えて装填することにより、１丁の銃本体によって、スライド固定式ガンとブローバックガンとの両方を楽しむことが可能となる。【００１１】  また、スライド固定用マガジンとブローバック用マガジンとを差し替えたとき、夫々のマガジンの後面に設けられた規制溝の長さ及び傾斜面の有無によって、ガスカットレギュレータが異なる動作を起すことにより、ガス充填室内のガスを開閉するガス放出バルブを作動するか否かを判別することによって、スライドをブローバックするか、又はスライドを固定状態にするかを作動操作することが可能となる。【００１２】  以上のように本発明のガスガンによれば、銃本体は１丁であるが、使用者がスライド固定用マガジンとブローバック用マガジンという２種のマガジンを所持し、使用者の選択によっていずれのマガジンを差し替えるかによって、１丁の銃本体をスライド固定用ガスガンにもブローバック用ガスガンにも両用できるという遊戯上の楽しみが可能となるものであり、従来の遊戯用ガスガンでは経験することができなかった遊戯体験が可能となる。
【発明を実施するための最良の形態】
【００１３】  以下、本発明の実施例について図面を参照しながら説明する。なお、本発明の説明において、「前方」の語は銃本体の銃口側を云うこととし、「後方」の語は銃本体のハンマ側を云うこととする。
【実施例１】
【００１４】  本実施例のガスガンは、図１（ａ）に示すように、銃本体１の把手部２内に設けられたマガジン装填室３に、図１（ｂ）に示すスライド固定用マガジン４と、図１（ｃ）に示すブローバック用マガジン５とを差し替えて装填することが可能とされている。なお、図１（ａ）に示すマガジン装填室３の途中に設けられたマガジンキャッチ３ａは、マガジン装填室３に差し込んだマガジン４又は５を定位置で固定するストッパ機能を有するものであり、マガジンキャッチ３ａをプッシュすることによってそのストッパ機能を解除する構造を有し、これによってマガジン４又は５をマガジン装填室３から抜き出すことが可能となる。【００１５】  上記のスライド固定用マガジン４とブローバック用マガジン５は、図２（ａ）又は（ｃ）に示すように、いずれもマガジンケース６の内部に弾倉室７とガス充填室８とを有し、その下方開放側はマガジンケース６の下部にピン６ａで固定されるマガジンベース９によって閉塞され、マガジンベース９に設けられたガス注入口９ａからガスを注入することができる。【００１６】  また、図２（ａ）又は（ｃ）に示すように、弾倉室７の上部前方は弾丸Ｂの着座部１０とされ、弾倉室７の内部にはスプリングＳＰ１で支持されたフロア１１が設けられている。このフロア１１はマガジンケース６の前側に設けられたフロアガイド１２に沿って上下動し、フロア１１の突出部１１ａを指先で押し下げた状態にして着座部１０から弾倉室７内に弾丸Ｂを込めることにより、弾倉室７内に複数の弾丸を装填することが可能である。【００１７】  一方、図２（ａ）又は（ｃ）に示すように、各マガジン４、５におけるガス充填室８の上方にはガス放出路１３が設けられ、ガス放出路１３の上方には各マガジン４、５の最上部に到るガス通路１４が形成されている。ガス放出路１３の入口は、後端が各マガジン４、５の後方側面から露出するガス放出バルブ１５によって開閉可能とされ、ガス放出バルブ１５の前方に設けられたスプリングＳＰ２のバネ力によって、ガス放出バルブ１５はガス放出路１３の入口を閉じる方向に付勢されている。【００１８】  また、各マガジン４、５の上部に設けられたガス通路１４は弾丸Ｂの着座部１０に連通されると共に、着座部１０の近傍にはガス通路１４の内周にパッキンカラー１６が固着され、パッキンカラー１６の周部にはＯリング１７が固着されている。このような構成により、弾倉室７の最上部の弾丸Ｂは下方の弾丸と共にスプリングＳＰ１の付勢力によって上方へ押され、着座部１０に保持された状態でガス通路１４を閉塞状態にする。【００１９】  以上のマガジン構造に関する説明は、スライド固定用マガジン４とブローバック用マガジン５のいずれにも共通したものであるが、ブローバック用マガジン５が、図２（ｃ）に示すようにバルブ構造のエアスイッチ１８とガス噴出口１９を有するのに対して、スライド固定用マガジン４はこれらの構造を備えていない点で異なる。さらに、各マガジン４、５の後面に設けられた後述する規制溝２１Ａ、２１Ｂに関しても、両者は異なる構造を有する。【００２０】  即ち、図２（ｃ）に示すブローバック用マガジン５は、ガス通路１４のパッキンカラー１６から後方へ離間した位置にガス通���１４の内周に沿う内周段部１４ａが形成され、この内周段部１４ａとパッキンカラー１６との間を前後動する弁構造のエアスイッチ１８がスプリングＳＰ３によって後方へ付勢された構造とされている。このエアスイッチ１８は、弁体の周部に開口部１８ａを有し、この開口部１８ａを経てガスを前方へ送ることが可能とされ、エアスイッチ１８が前進してパッキンカラー１６を閉塞した状態（図９（ａ）参照）では、ガス通路１４を閉ざすこととなる。また、図２（ｂ）、（ｄ）に示すように、ガス通路１４の後方側の相当するマガジンケース６の後面にはガス通路１４を噴出することができるガス噴出口１９が形成されている。【００２１】  このような構成は、ブローバック用マガジン５に特有の構造であり、図２（ａ）、（ｂ）に示すように、スライド固定用マガジン４にはエアスイッチ１８がなく、またガス噴出口１９は閉塞蓋２０によって完全に閉じられている。なお、上記のエアスイッチ１８とガス噴出口１９の作用については後述する。【００２２】  また、図２（ｂ）に示すように、スライド固定用マガジン４の後面から露出したガス放出バルブ１５の後端の側方には長尺の規制溝２１Ａが縦方向に形成されている。これに対して、図２（ｄ）に示すブローバック用マガジン５に設けられた規制溝２１Ｂは短尺であって、この短尺の規制溝２１Ｂの下端には傾斜面２２が形成されている。この規制溝２１Ｂの傾斜面２２は後述するガスカットレギュレータ３６の動作に関係するため後に説明する。【００２３】  なお、上記の構成において、図２（ｂ）、（ｄ）に示すように、各マガジン４、５のマガジンケース６の上部材４ａ、５ａを各マガジンケース６の本体とは別体に構成し、ネジ４ｂ、５ｂの着脱によって交換可能とすることにより、スライド固定用マガジン４とブローバック用マガジン５の夫々のマガジンケース６は共通のものを使用し、内部構造の異なる上部材４ａ、５ａのみを取付けることによって２種のスライド固定用マガジン４とブローバック用マガジン５とを作製することができ、製作コストの削減を図ることが可能となる。【００２４】  ここで、本実施例の銃本体１の全体構造について説明すると、図３（ａ）に示すように、銃本体１の上部の銃身２３の内部には筒状のインナーバレル２４が設けられ、インナーバレル２４の後方の内周拡径部には前側にバッファ４３と、スプリングＳＰ８を介して後側にチャンバ２５とが設けられている。また、バッファ４３の下部にはカムピン４４ａに回動自在に支承されたカム４４がスプリング４４ｂの係止によって前方へ付勢され、これによってバッファ４３は案内ピン４３ａの作用によってインナーバレル２４内の定位置に停止した状態で前方へ付勢されている。【００２５】  また、チャンバ２５の後方にはスライド２６が設けられ、スライド２６内の後部内側にはシリンダ２７がネジ２７ａで固定されている。さらに、シリンダ２７の内部には２段式（図１０（ａ）参照）に伸長するピストン２８が設けられ、ピストン２８の内周側後端がシリンダ２７の後部にネジ２７ｂで固定されている。このような構成により、ガス通路１４内のガスはシリンダ２７の前端に設けられたガス導入口２８ａを抜けてピストン２８を押圧し、これによってピストン２８をシリンダ２７に沿って２段式に後退させると共にスライド２６が後退することとなる。【００２６】  一方、図３（ａ）に示すように、ハンマ２９はハンマピン２９ａによって回転自在に設けられ、ハンマピン２９ａの後部に設けられた係止ピン２９ｂにはハンマストラット３０の上端部が係止されると共に、ハンマストラット３０の下部はハンマスプリングＳＰ４に支持され上方へ付勢されている。【００２７】  また、銃本体１に設けられたトリガ３１を引くと、トリガバー３２の作用により、ハンマ２９を係止するシア３３が回動する構成とされ、このシア３３の係止がはずれると、ハンマスプリングＳＰ４のバネ力によってハンマ２９が回転し、ハンマ２９が後述するＦピン（ファイアリングピンの略称）３４（図３（ｃ）参照）の頭部を叩打することにより、図８（ａ）に示すように、Ｆピン３４がガス放出バルブ１５をスプリングＳＰ２のバネ力に抗して前方へ押し出し、ガス放出路１３を開けることとなる。【００２８】  また、図３（ａ）に示すように、トリガ３１は、銃本体１に設けられたトリガピン３１ａに回動自在に支承され、トリガピン３１ａの周部に付設されたトリガスプリング３１ｂによって常時前方へ付勢されている。また、トリガ３１の後部に設けられたピン３１ｃにはトリガバー３２の前端部が回動自在に支承され、トリガバー３２はトリガバースプリング３２ａによって上方へ付勢されている。【００２９】  さらに、図３（ａ）に示すように、トリガピン３１ａの上方に設けられたトリガ係止片３５は、ストッパピン４５ａに支承されたストッパ４５に係合され、図７（ａ）に示すようにトリガ３１を完全に引き切った状態まで回動すると、次弾Ｂ２を保持して弾倉７内に待機状態にさせる。【００３０】  また、図６（ｄ）に示すように、シア３３はシア軸３３ａを中心に回動自在であり、ハンマ２９のシア係止部２９ｃと係止する爪部３３ｂを有し、シア３３の爪部３３ｂがハンマ２９のシア係止部２９ｃに係止することで、ハンマ２９の停止状態を保持することができる。【００３１】  次に、本実施例によるガスカットレギュレータ３６について説明するにあたり、各図の説明をする。図３〜図１９に示す各図（ａ）は銃本体１の内部構造を示し、各図（ｂ）は各動作時におけるガスカットレギュレータ３６の作動に関連する構造を示し、各図（ｃ）は各動作時におけるＦピン３４の作動に関連する構造を示すものである。ただし、各図（ｂ）は、説明の便宜上、ガスカットレギュレータ３６とガスカットレバー３７とを保持するインナー３８を透視的に見た状態を示す。【００３２】  そこで、図３（ｂ）、（ｃ）を用いて、ガスカットレギュレータ３６に関連する構造について説明すると、インナー３８はハンマピン２９ａに支承される軸穴３９を有し、インナー３８の一側（図３（ｂ）の紙面の背面側）にはガスカットレギュレータ３６とガスカットレバー３７とが設けられている。【００３３】  即ち、図３（ｂ）に示すように、インナー３８の一側にはガスカットレギュレータ３６を移動自在に収容する案内溝４０が形成されると共に、この案内溝４０に収容されたガスカットレギュレータ３６は、図５（ａ）に示すように、マガジン装填室３に装填されたマガジ��４又は５の後面に設けられた規制溝２１Ａ又は２１Ｂ（図５（ｂ）参照）に収容される作用部３６ｂ（この作用部３６ｂはブローバック用マガジン５の案内溝２１Ａ又は２１Ｂの下部に形成された傾斜面に沿うように湾曲している）を有すると共に、その反対側上部には爪部３６ａが形成されている。この爪部３６ａは作用部３６ｂの方向を向き、後述するガスカットレバー３７の爪部３７ａと噛み合う関係にある。また、ガスカットレギュレータ３６は案内溝４０の端部に収容されたスプリングＳＰ５によって作用部３６ｂの方向に付勢されている。【００３４】  一方、図３（ｂ）に示すように、上記のガスカットレギュレータ３６の案内溝４０とは直交する方向に形成された案内溝４１にガスカットレバー３７が上下動自在に収容され、このガスカットレバー３７の上部に設けられた爪部３７ａがガスカットレギュレータ３６の爪部３６ａと噛み合う形状に形成されている。また、ガスカットレバー３７は案内溝４１の下部に収容されたスプリングＳＰ６によって上方に付勢されている。このガスカットレバー３７の上端は前方に傾斜した傾斜面３７ｂを有し、この傾斜面３７ｂが、図１０（ｂ）に示すようにスライド２６の下部に沿って形成された凹部２６ａの後側傾斜面２６ｂに押圧されることによって下方に移動する。【００３５】  また、図３（ｃ）に示すように、インナー３８の他側にはＦピン３４を移動自在に収容する案内溝４２が形成され、このＦピン３４は、図５（ａ）に示すように、マガジン装填室３に装填されたマガジン４又は５のガス放出バルブ１５の後部を押圧する方向に設けられている。【００３６】  さらに、図３（ｃ）に示すように、Ｆピン３４の側部には段差状の係止部３４ａが形成されると共に、Ｆピン３４を収容する案内溝４２の内部にはＦピン３４をハンマ２９側に付勢するスプリングＳＰ７が収容され、Ｆピン３４はハンマ２９の叩打による押圧に弾発する方向に付勢されている。【００３７】  また、Ｆピン３４の下部には上記のガスカットレバー３７の一部が突出されると共に、このガスカットレバー３７にはＦピン３４の係止部３４ａに係合する凸部３７ｃが形成され、Ｆピン３４の係止部３４ａに係合しない状態ではスプリングＳＰ６のバネ力に抗して下方に付勢された状態にあるが、図８（ｃ）に示すようにハンマ２９がＦピン３４を叩打すると、Ｆピン３４が前進すると共に、スプリングＳＰ６のバネ力によってガスカットレバー３７が上方へ移動すると、凸部３７ｃがＦピン３４の係止部３４ａに係合してＦピン３４を前進位置へ保持した状態となる。【００３８】  以上、本実施例に使用するスライド固定用マガジン４とブローバック用マガジン５との構成及び銃本体１の概略構成について述べたが、その他の構成については、下記の本実施例の動作説明の中で説明する。【００３９】  次に、本実施例のガスガンの銃本体１に上記のブローバック用マガジン５を使用する場合について説明する。このブローバック用マガジン５を使用するには、図４（ａ）に示すように銃本体１のマガジン装填室３内にブローバック用マガジン５を下方から押し込んで、図５（ａ）に示す装着状態とする。【００４０】  なお、マガジン装填室３内にブローバック用マガジン５を装着していない状態においては、図４（ｂ）に示すように、ガスカットレギュレータ３６はスプリングＳＰ５のバネ力によって前方に突出され、ガスカットレバー３７の爪部３７ａがガスカットレギュレータ３６ｂの爪部３６ｂに噛み合った状態で保持される。【００４１】  次に、図５（ａ）に示すようにブローバック用マガジン５をマガジン装填室３に押し込んだ状態にすると、図５（ｂ）に示すように、ガスカットレギュレータ３６がブローバック用マガジン５の後面に設けられた規制溝２１Ｂ（図２（ｄ）参照）の傾斜面２２に接触して、押圧されることにより後方へ押し込まれる。このようにガスカットレギュレータ３６が後退すると、ガスカットレバー３７はガスカットレギュレータ３６による保持状態から開放され、作動可能となる。【００４２】  次いで、図６（ａ）に示すように、スライド２６を後方へ引いて手を離すか、又は手動でハンマ２９を起すと、図６（ｄ）に示すように、ハンマ２９のシア係止部２９ｃがシア３３の爪部３３ｂに保持された状態となって、発射準備が整う。【００４３】  なお、ブローバック用マガジン５をマガジン装填室３に装着した状態においても、上記のようにスライド２６の操作又はハンマ２９の操作をしない状態でトリガ３１を引くことにより、ダブルアクションによって弾丸Ｂを発射することも可能である。ただし、ダブルアクションではトリガ３１の引きが重くなる。なお、このダブルアクションについては後述するスライド固定用マガジン４を使用する場合において説明する。【００４４】  上記の状態で、図７（ａ）に示すようにトリガ３１を最後部まで引き切ると、カム４４の回動によってチャンバ２５が後退することにより、チャンバ２５内に弾丸Ｂが装填され、チャンバ２５がガス通路１４に設けられたＯリング１７に密着する。一方、図７（ｄ）に示すように、上記のトリガ３１を引く動作によりトリガバー３２が作用し、シア３３が回動することによってシア３３の係止がはずされると、図８（ａ）に示すように、ハンマスプリングＳＰ４のバネ力によってハンマ２９が回転する。【００４５】  そして、図８（ｃ）に示すように、ハンマ２９がＦピン３４を叩打することによって該Ｆピン３４が前進すると、スプリングＳＰ６のバネ力によって上方に付勢されたガスカットレバー３７の凸部３７ｃがＦピン３４の係止部３４ａに係合することにより、Ｆピン３４が前進した状態を保持する。さらに、Ｆピン３４の前進によって、図８（ａ）に示すように、ガス放出バルブ１５が押圧されると、ガス放出路１３が開放され、ガス充填室８内のガスがガス放出路１３を経てガス通路１４に放出され、エアスイッチ１８の開口部１８ａを通過して弾丸Ｂを背後から押圧することにより、弾丸Ｂが発射される。【００４６】  次いで、図９（ａ）に示すように、弾丸Ｂが発射されてチャンバ２５内が開放されると共に、ガス充填室８からのガスがガス通路１４内に放出され続ける結果、エアスイッチ１８の前後において、後方の内圧が前方の内圧よりも高くなるという内圧差が生じ、この内圧差によってエアスイッチ１８が前進し、パッキンカラー１６の後部内周に当接して前方へのガス放出が阻止されるため、ガスは後方へのみ流れることとなる。【００４７】  次いで���図１０（ａ）に示すように、ガス通路１４の後方へ流れ込んだガスは二段式のピストン２８を後退させることによって、ピストン２８に固定されているスライド２６が後退すると、図１０（ｂ）に示すようにスライド２６の下部に設けられた後側傾斜面２６ｂがガスカットレバー３７の上端傾斜面３７を押圧して、ガスカットレバー３７を押下げる。また、このようにガスカットレバー３７が押下げられると、図１０（ｃ）に示すように、ガスカントレバー３７の凸部３７ｃがＦピン３４の係止部３４ａから外れることにより、前進位置におけるＦピン３４の保持が解かれ、スプリングＳＰ７のバネ力によってＦピン３４が元の後退位置に復帰する。このＦピン３４の後退によって、図１０（ａ）に示すように、ガス放出バルブ１５はスプリングＳＰ２のバネ力でガス放出路１３を閉じ、ガス充填室８からのガスの放出が止まる。【００４８】  また、図１１（ａ）に示すように、上記のようにガスの放出が止まった後も、ピストン２８の慣性及びガスの膨出によってスライド２６は後退を続ける。このスライド２６が最終端まで後退すると、図１１（ｄ）に示すように、ハンマ２９はスライド２６の押圧作用によってシア３３の保持位置を越えて起こされ、シア３３はスプリング３３ｃのバネ力によってハンマ２９を保持する位置に戻る。【００４９】  次いで、図１２（ａ）に示すように、ピストン２８を押しているガスが膨張しきった状態となり、シリンダ２７内の内圧が下がり、スプリングＳＰ３のテンションが内圧を上回ると、エアスイッチ１８は後退し、前方へのガスの導入口（パッキンカラー１６の内周）が再び開く。一方、シリンダ２７の内圧が弱まると、図１３（ａ）に示すように、ハンマスプリングＳＰ４のテンションによってスライド２６及びピストン２８が前進し、シリンダ２７内のガスはエアスイッチ１８の開口部（パッキンカラー１６の内周）を抜け、前方に放出される。また、ハンマ２９はシア３３で保持された状態を保つ。その際、次弾Ｂ２を撃つには、一度トリガ３１を戻すことにより、図６（ａ）に示す状態に戻る。【００５０】  以上のように、ガスガンのマガジン装填室３内にブローバック用マガジン５を装填した場合、マガジン５内のガスはガス放出路１３からガス通路１４に到って、スイッチバルブ１８の開口部１８ａ（図２（ｃ）参照）を抜けてチャンバ２５内の弾丸Ｂを押圧した後、ピストン２８側に抜けてスライド２６を後退させるため、ガス使用の効率が良くないが、実銃のようにブローバックアクションを楽しめるという利点を有する。【００５１】  次に、本実施例のガスガンに上記のスライド固定用マガジン４を使用する場合について説明する。このスライド固定用マガジン４を使用するには、図１４（ａ）に示すようにマガジン装填室３内にスライド固定用マガジン４を押し込んで、図１５（ａ）に示す装着状態とする。【００５２】  図１５（ａ）に示すようにスライド固定用マガジン４をマガジン装填室に押し込んだ状態にすると、上記のブローバック用マガジン５の場合とは異なり、図１５（ｂ）に示すように、ガスカットレギュレータ３６がマガジン４の後面に設けられた規制溝２１Ａ（図２（ｂ）参照）に収容された状態で他に接触することがないため、ガスカットレギュレータ３６が後方へ押し込まれることもない。このようにガスカットレギュレータ３６は後退することなく、ガスカットレバー３７を保持した状態を保つため、ガスカットレギュレータ３６の爪部３６ａとガスカットレバー３７の爪部３７ａとが噛み合った状態を保ち、ガスカットレバー３７は作動することができない。【００５３】  この状態で、図１６（ａ）に示すように、トリガ３１を引くと、ダブルアクションでは、トリガバー３２がフック４６を案内通路４７に沿って後退させ、フック４６に連動するハンマ２９を起すという、ダブルアクションを生じさせる。これに対して、一発ごとに手動でハンマ２９を起して撃つシングルアクションの動作も可能である。このシングルアクションにおいては、ハンマ２９を手動で起した状態からトリガ３１を引くため、トリガ３１を引く動作が軽くなるという利点がある。【００５４】  次いで、上記のようにトリガ３１を引くことによって、図１７（ａ）に示すように、カム４４に連動する案内ピン４３ａの作用によってチャンバ２５が後退すると、スライド固定用マガジン４の着座部１０にある弾丸Ｂの周囲にチャンバ２５が入り込んで、該チャンバ２５の内部に弾丸Ｂを装填することとなり、チャンバ２５とスライド固定用マガジン４のガス通路１４のＯリング１７が密着する。このトリガ３１を引く動作において、ダブルアクションではハンマ２９の起きる角度が小さいため、ハンマ２９はシア３３に保持されない状態となる。次いで、図１７（ｄ）に示すように、トリガ３１を最後まで引くと、トリガバー３２からフック４６が外れ、この直後ハンマ２９は勢いよい良く前進する。【００５５】  上記のようにハンマ２９が勢い良く前進した後は、図１８（ａ）、（ｃ）に示すように、ハンマ２９がＦピン３４の頭部を叩打してＦピン３４を前進させ、ガス放出路１３のガス放出バルブ１５を開くことによってガス充填室８内のガスをガス通路１４側へ放出し、チャンバ２５内にある弾丸Ｂを前方へ発射する。【００５６】  このとき、スライド固定用マガジン４ではガスカットレバー３７は上記のようにガスカットレギュレータ３６によって保持された状態にあるため、Ｆピン３４が前進してもガスカットレバー３７は上昇せず、従ってＦピン３４を保持することもないため、図１９（ａ）、（ｃ）に示すように、ガス放出バルブ１５とＦピン３４はスプリングＳＰ２のバネ力によって後方へ復帰し、ガス放出バルブ１５の後退によってガス放出路１３が閉じられる。また、ハンマ２９はＦピン３４に押されて定位置に戻る。この状態で、次弾Ｂ２を撃つために、一度トリガ３１を戻すと、図１５（ａ）に示す状態に戻る。【００５７】  以上のように、ガスガンにスライド固定用マガジン４を装填した場合、ブローバック用マガジン５のようにエアスイッチ１８を有しないため、マガジン内のガスはガス放出路１３からガス通路１４に到ってチャンバ２５内の弾丸Ｂを直接押圧することができ、ガス放出バルブ１５の開閉動作も一瞬であり、ブローバック用マガジン５のようにガスがピストン２８側に抜けることもないため、ガスの使用効率が良く、弾速が上がり、短時間当たりの弾数を多く発射することが可能となる。
【産業上の利用可能性】
【００５８】  本発明のガスガンは、１丁の銃本体のマガジン装填室にブローバック用マガジンとスライド固定用マガジンとを差し替えて装填することにより、１丁の銃本体でスライド固定式ガスガンとブローバック式ガスガンとに両用することができるガスガンとして利用可能である。
【図面の簡単な説明】
【００５９】
【図１】（ａ）は本発明によるガスガンの内部構造を示す全体断面図であり、（ｂ）はスライド固定用マガジンの内部構造を示す断面図であり、（ｃ）はブローバック用マガジンの内部構造を示す断面図である。
【図２】（ａ）はスライド固定用マガジンの内部構造を示す断面図であり、（ｂ）は（ａ）のマガジンの後面上部を示す部分図であり、（ｃ）はブローバック用マガジンの内部構造を示す断面図であり、（ｄ）は（ｃ）のマガジンの後面上部を示す部分図である。
【図３】（ａ）は本発明によるガスガンにおいてマガジン装填室にマガジンを装填していない状況を示す全体断面図であり、（ｂ）はガスカットレギュレータを作動する構造の側面図であり、（ｃ）はＦピンを作動する構造を示す側面図である。
【図４】（ａ）は本発明によるブローバック用マガジンをマガジン装填室に差し込んでいる状況を示すガスガンの全体断面図であり、（ｂ）はガスカットレギュレータを作動する構造を示す側面図であり、（ｃ）はＦピンを作動する構造を示す側面図である。
【図５】（ａ）は本発明によるブローバック用マガジンをマガジン装填室に差し込んだ状況を示すガスガンの全体断面図であり、（ｂ）はマガジンの規制溝及び傾斜面とガスカットレギュレータとの関係を示す部分図であり、（ｃ）はＦピンを作動する構造を示す側面図である。
【図６】（ａ）は本発明によるブローバック用マガジンをマガジン装填室に差し込んでトリガを引いている状況を示すガスガンの全体断面図であり、（ｂ）はガスカットレギュレータを作動する構造を示す側面図であり、（ｃ）はＦピンを作動する構造を示す側面図であり、（ｄ）はトリガの作動状況におけるハンマ及びスライド周辺の状況を示す部分図である。
【図７】（ａ）は本発明によるブローバック用マガジンをマガジン装填室に差し込んでトリガを引き切った状況を示すガスガンの全体断面図であり、（ｂ）はガスカットレギュレータを作動する構造を示す側面図であり、（ｃ）はＦピンを作動する構造を示す側面図であり、（ｄ）はトリガの作動状況におけるハンマ及びスライド周辺の状況を示す部分図である。
【図８】（ａ）は本発明によるガスガンにおいて弾丸を発射している状況を示す全体断面図であり、（ｂ）はガスカットレギュレータを作動する構造を示す側面図であり、（ｃ）はＦピンを作動する構造を示す側面図である。
【図９】（ａ）は本発明によるガスガンにおいて弾丸を発射した後の状況を示す全体断面図であり、（ｂ）はガスカットレギュレータを作動する構造を示す側面図であり、（ｃ）はＦピンを作動する構造を示す側面図である。
【図１０】（ａ）は本発明によるガスガンにおいて弾丸を発射した後の状況を示す全体断面図であり、（ｂ）はガスカットレギュレータを作動する構造とスライドとの関係を示す部分図であり、（ｃ）はＦピンを作動する構造を示す側面図であり、（ｄ）はハンマ及びスライド周辺の状況を示す部分図である。
【図１１】（ａ）は本発明によるガスガンにおいてスライドがブローバックを行っている状況を示す全体断面図であり、（ｂ）はガスカットレギュレータを作動する構造とスライドとの関係を示す部分図であり、（ｃ）はＦピンを作動する構造を示す側面図であり、（ｄ）はハンマ及びスライド周辺の状況を示す部分図である。
【図１２】（ａ）は本発明によるガスガンにおいてスライドがブローバックを行っている状況を示す全体断面図であり、（ｂ）はガスカットレギュレータを有する構造とスライドとの関係を示す側面図であり、（ｃ）はＦピンを作動する構造を示す側面図であり、（ｄ）はハンマ及びスライド周辺の状況を示す部分図である。
【図１３】（ａ）は本発明によるガスガンにおいてスライドがブローバックから復帰する状況を示す全体断面図であり、（ｂ）はガスカットレギュレータを作動する構造を示す側面図であり、（ｃ）はＦピンを作動する構造を示す側面図であり、（ｄ）はハンマ及びスライド周辺の状況を示す部分図である。
【図１４】（ａ）は本発明によるスライド固定用マガジンをマガジン装填室に差し込んでいる状況を示すガスガンの全体断面図であり、（ｂ）はガスカットレギュレータを作動する構造を示す側面図であり、（ｃ）はＦピンを作動する構造を示す側面図である。
【図１５】（ａ）は本発明によるスライド固定用マガジンをマガジン装填室に差し込んだ状況を示すガスガンの全体断面図であり、（ｂ）はマガジンの規制溝とガスカットレギュレータとの関係を示す部分図であり、（ｃ）はＦピンを作動する構造を示す側面図である。
【図１６】（ａ）は本発明におけるトリガを引いている状況を示すガスガンの全体断面図であり、（ｂ）はガスカットレギュレータを作動する構造を示す側面図であり、（ｃ）はＦピンを作動する構造を示す側面図であり、（ｄ）はハンマ及びスライド周辺の状況を示す部分図である。
【図１７】（ａ）は本発明によるガスガンのトリガを引き切った状況を示すガスガンの全体断面図であり、（ｂ）はガスカットレギュレータを作動する構造を示す側面図であり、（ｃ）はＦピンを作動する構造を示す側面図であり、（ｄ）はハンマ及びスライド周辺の状況を示す部分図である。
【図１８】（ａ）は本発明によるガスガンにおいて弾丸を発射している状況を示す全体断面図であり、（ｂ）はガスカットレギュレータを作動する構造を示す側面図であり、（ｃ）はＦピンを作動する構造を示す側面図である。
【図１９】（ａ）は本発明によるガスガンにおいて弾丸を発射した後の状況を示す全体断面図であり、（ｂ）はガスカットレギュレータを作動する構造を示す側面図であり、（ｃ）はＦピンを作動する構造を示す側面図である。
【符号の説明】
【００６０】１  銃本体
２  把手部
３  マガジン装填室
３ａ  マガジンキャッチ
４  スライド固定用マガジン
５  ブローバック用マガジン
４ａ、５ａ  上部材
６  マガジンケース
６ａ  ピン
７  弾倉室
８  ガス充填室
９  マガジンベース
９ａ  ガス注入口
１０  着座部
１１  フロア
１１ａ  突出部
１２  フロアガイド
１３  ガス放出路
１４  ガス通路
１４ａ  内周段部
１５  ガス放出バルブ
１６  パッキンカラー
１７  Ｏリング
１８  エアスイッチ
１８ａ  開口部
１９  ガス噴出口
２０  閉塞蓋
２１Ａ、２１Ｂ  規制溝
２２  傾斜面
２３  銃身
２４  インナーバレル
２５  チャンバ
２６  スライド
２６ａ  凹部
２６ｂ  傾斜面
２７  シリンダ
２７ａ  ネジ
２７ｂ  ネジ
２８  ピストン
２８ａ  ガス導入口
２９  ハンマ
２９ａ  ハンマピン
２９ｂ  係止ピン
２９ｃ  シア係止部
３０  ハンマストラット
３１  トリガ
３１ａ  トリガピン
３１ｂ  トリガスプリング
３１ｃ  ピン
３２  トリガバー
３２ａ  トリガバースプリング
３３  シア
３３ａ  シア軸
３３ｂ  爪部
３４  Ｆピン
３４ａ  係止部
３５  トリガ係止片
３６  ガスカットレギュレータ
３６ａ  爪部
３６ｂ  作用部
３７  ガスカットレバー
３７ａ  爪部
３７ｂ  傾斜面
３７ｃ  凸部
３８  インナー
３９  軸穴
４０  ガスカットレギュレータの案内溝
４１  ガスカットレバーの案内溝
４２  Ｆピンの案内溝
４３  バッファ
４３ａ  案内ピン
４４  カム
４４ａ  カムピン
４４ｂ  スプリング
４５  ストッパ
４５ａ  ストッパピン
４６  フック
４７  案内通路
Ｂ  弾丸
Ｂ２  次弾
ＳＰ１  スプリング
ＳＰ２  スプリング
ＳＰ３  スプリング
ＳＰ４  ハンマスプリング
ＳＰ５  スプリング
ＳＰ６  スプリング
ＳＰ７  スプリング
ＳＰ８  スプリング
【図１】
0004449044.tif 000002
【図２】
0004449044.tif 000003
【図３】
0004449044.tif 000004
【図４】
0004449044.tif 000005
【図５】
0004449044.tif 000006
【図６】
0004449044.tif 000007
【図７】
0004449044.tif 000008
【図８】
0004449044.tif 000009
【図９】
0004449044.tif 000010
【図１０】
0004449044.tif 000011
【図１１】
0004449044.tif 000012
【図１２】
0004449044.tif 000013
【図１３】
0004449044.tif 000014
【図１４】
0004449044.tif 000015
【図１５】
0004449044.tif 000016
【図１６】
0004449044.tif 000017
【図１７】
0004449044.tif 000018
【図１８】
0004449044.tif 000019
【図１９】
0004449044.tif 000020